(57)【要約】【課題】複数系統の電力源を有効利用し、本構成を有しない場合に比べて、省エネルギー化を向上する。【解決手段】第２のモードの電力源として、商用電源１４を直接供給する場合（第１の電源）、商用電源１４の電力を蓄電デバイス３０の充電に利用する場合（第２の電源）、商用電源１４以外の電力源（本実施の形態では、回生エネルギー蓄積部３２、ソーラーパネル３４）の電力量を充電に利用する場合（第３の電源）が選択される。  通常は、第３の電源を供給し、電力が不足（充電が足りない）とき第２の電源に切り替え、さらに、電力切替コントローラ１２の動作を維持できない電力に近い場合は第１の電源を供給している。【選択図】図４
2011199983.tif 000002
【特許請求の範囲】
【請求項１】
商用電源から電力の供給を受けて全稼働状態となる第１のモード、通常状態で商用電源以外から充電された蓄電部材からの電力の供給を受けて、少なくとも処理の受付を許可する必要最小限の稼動状態となる第２のモードの何れかを選択する選択手段と、
前記選択手段で選択されたモードで電力を供給する電力供給手段と、
前記第２のモードで適用される前記蓄電部材の蓄電量を計測する蓄電量計測手段と、
前記蓄電量計測手段で計測した蓄電量が、予め定めた所定値以下の場合に緊急状態と判断し、前記商用電源の電力で蓄電する緊急蓄電手段と、
を有する電力供給制御装置。
【請求項２】
前記緊急蓄電手段による充電率を１００％よりも低くし、前記商用電源以外からの電力の供給を受けて残りの充電率分を充電する請求項１記載の電力供給制御装置。
【請求項３】
前記第２のモードを実行することで達成した、節電情報を出力可能に記憶する記憶手段をさらに有する請求項１又は請求項２記載の電力供給制御装置。
【請求項４】
前記請求項１〜請求項３の何れか１項記載の電力供給制御装置を備え、前記処理を実行するデバイスとして、原稿画像を読み取る画像読取手段と、画像データに基づいて記録用紙へ画像を形成する画像形成手段と、外部と画像を送受信するファクシミリ通信手段と、を有する画像処理装置。
【請求項５】
コンピュータを、前記請求項１〜請求項３の何れか１項記載の電力供給制御装置として実行させる電力供給制御プログラム。
【発明の詳細な説明】
【技術分野】
【０００１】
本発明は、電力供給制御装置、画像処理装置、電力供給制御プログラムに関する。
【背景技術】
【０００２】
複合機等の画像処理装置では、太陽電池や二次電池による電源を省エネルギーモードに利用することが提案されている。
【０００３】
特許文献１には、太陽電池等の第２のエネルギー摂取手段が摂取するエネルギーを優先的に消費し、規定値を下回る恐れのある場合、商用電源からな第１のエネルギー摂取手段が消費するように制御することが記載されている。
【０００４】
特許文献２には、二次電池の給電状況を監視し、しきい値電圧に応じて、二次電池からの供給、主電源からの供給を切り替えることが記載されている。
【先行技術文献】
【特許文献】
【０００５】
【特許文献１】特開平７−２７１２４９号公報
【特許文献２】特開２００３−２９５７９公報
【発明の概要】
【発明が解決しようとする課題】
【０００６】
本発明は、複数系統の電力源を有効利用し、本構成を有しない場合に比べて、省エネルギー化を向上することができる電力供給制御装置、画像処理装置、電力供給制御プログラムを得ることが目的である。
【課題を解決するための手段】
【０００７】
請求項１に記載の発明は、商用電源から電力の供給を受けて全稼働状態となる第１のモード、通常状態で商用電源以外から充電された蓄電部材からの電力の供給を受けて、少なくとも処理の受付を許可する必要最小限の稼動状態となる第２のモードの何れかを選択する選択手段と、前記選択手段で選択されたモードで電力を供給する電力供給手段と、前記第２のモードで適用される前記蓄電部材の蓄電量を計測する蓄電量計測手段と、前記蓄電量計測手段で計測した蓄電量が、予め定めた所定値以下の場合に緊急状態と判断し、前記商用電源の電力で蓄電する緊急蓄電手段と、を有している。
【０００８】
請求項２に記載の発明は、前記請求項１に記載の発明において、前記緊急蓄電手段による充電率が、１００％よりも低くし、前記商用電源以外からの電力の供給を受けて残りを充電する。
【０００９】
請求項３に記載の発明は、前記請求項１又は請求項２に記載の発明において、前記第２のモードを実行することで達成した、節電情報を出力可能に記憶する記憶手段をさらに有する。
【００１０】
請求項４に記載の発明は、前記請求項１〜請求項３の何れか１項記載の電力供給制御装置を備え、前記処理を実行するデバイスとして、原稿画像を読み取る画像読取手段と、画像データに基づいて記録用紙へ画像を形成する画像形成手段と、外部と画像を送受信するファクシミリ通信手段と、を有する画像処理装置である。
【００１１】
請求項５に記載の発明は、コンピュータを、前記請求項１〜請求項３の何れか１項記載の電力供給制御装置として実行させる電力供給制御プログラムである。
【発明の効果】
【００１２】
請求項１、請求項４、請求項５記載の発明によれば、複数系統の電力源を有効利用し、本構成を有しない場合に比べて、省エネルギー化を向上することができる。
【００１３】
請求項２に記載の発明によれば、商用電源以外の電力源を有用とすることができる。
【００１４】
請求項３記載の発明によれば、省エネルギー化の効果を実感し、所謂「見える化」を明確にすることができる。
【図面の簡単な説明】
【００１５】
【図１】本実施の形態に係る画像処理装置の概略図である。
【図２】本実施の形態に係るメインコントローラと電源装置との概略構成図である。
【図３】本実施の形態に係る電力供給系を示すブロック図である。
【図４】本実施の形態に係る電力切替コントローラにおける、電源供給回路と充電基切替制御のための機能ブロック図である。
【図５】本実施の形態に係るメインコントローラにおける電力供給制御ルーチンを示すフローチャートである。
【図６】本実施の形態に係る電力切替コントローラにおける電力供給制御ルーチンを示すフローチャートである。
【図７】本実施の形態に係る充電基切替制御ルーチンを示すフローチャートである。
【図８】（Ａ）はメインコントローラにおける消費電力履歴表示制御ルーチンを示すフローチャート、（Ｂ）は図８（Ａ）の制御のＵＩタッチパネル上での表示例を示す正面図である。
【発明を実施するための形態】
【００１６】
図１には、本実施の形態に係る画像処理装置１０が示されている。画像処理装置１０は、記録用紙に画像を形成する画像形成部２４０と、原稿画像を読み取る画像読取部２３８と、ファクシミリ通信制御回路２３６を備えている。画像処理装置１０は、メインコントローラ２００を備えており、画像形成部２４０、画像読取部２３８、ファクシミリ通信制御回路２３６を制御して、画像読取部２３８で読み取った原稿画像の画像データを一次的に記憶したり、読み取った画像データを画像形成部２４０又はファクシミリ通信制御回路２３６へ送出したりする。
【００１７】
メインコントローラ２００には図示しないインターネット等のネットワーク通信回線網が接続され、ファクシミリ通信制御回路２３６には図示しない電話回線網が接続されている。メインコントローラ２００は、例えば、ネットワーク通信回線網を介してホストコンピュータと接続され、画像データを受信したり、ファクシミリ通信制御回路２３６を介して電話回線網を用いてファクシミリ受信及びファクシミリ送信を実行する役目を有している。
【００１８】
画像形成部２４０は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、顕像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００１９】
画像読取部２３８は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００２０】
（メインコントローラ２００）
図２は、前記メインコントローラ２００の概略構成図である。
【００２１】
図２に示される如く、メインコントローラ２００は、ＣＰＵ２０４、ＲＡＭ２０６、ＲＯＭ２０８、Ｉ／Ｏ（入出力部）２１０、及びこれらを接続するデータバスやコントロールバス等のバス２１２を有している。Ｉ／Ｏ２１０には、ＵＩ制御回路２１４を介してＵＩタッチパネル２１６が接続されている。また、Ｉ／Ｏ２１０には、ハードディスク（ＨＤＤ）２１８、節電ボタン２１９が接続されている。ＲＯＭ２０８やハードディスク２１８等に記録されているプログラムに基づいて、ＣＰＵ２０４が動作することによって、メインコントローラ２００の機能を実現する。なお、該プログラムを格納した記録媒体（ＣＤ−ＲＯＭ、ＤＶＤ−ＲＯＭ等）から該プログラムをインストールし、これに基づいてＣＰＵ２０４が動作することにより画像処理機能を実現してもよい。
【００２２】
なお、節電ボタン２１９は、所謂ハードスイッチ（物理的に操作するスイッチ）であり、押圧操作する毎に、装置に対して、節電、節電解除を交互に指示するようになっている。
【００２３】
本実施の形態のメインコントローラ２００は、画像処理デバイスに対して、待機モード、スリープモードを指示するようになっている。待機モードは電力供給状態であり、スリープモードは電力遮断状態である。また、本実施の形態では、メインコントローラ２００自体も、電力遮断状態となる場合がある（スリープ０状態）。
【００２４】
Ｉ／Ｏ２１０には、タイマ回路２２０、通信回線Ｉ／Ｆ２２２が接続されている。さらに、Ｉ／Ｏ２１０には、デバイス選択Ｉ／Ｆ２３４に接続されている。
【００２５】
デバイス選択Ｉ／Ｆ２３４は、ファクシミリ通信制御回路（モデム）２３６、画像読取部２３８、画像形成部２４０の各デバイスに接続されている。
【００２６】
なお、前記タイマ回路２２０は、前記ファクシミリ通信制御回路２３６、画像読取部２３８、画像形成部２４０を節電状態（電源非供給状態）とするための契機として、初期設定時間の計時を行うものである。
【００２７】
メインコントローラ２００及び各画像処理デバイス（ファクシミリ通信制御回路２３６、画像読取部２３８、画像形成部２４０）は、電力切替コントローラ１２（図３参照）から電源が供給される。
【００２８】
（電力供給系統）
図３には、本実施の形態の示される如く、メインコントローラ２００及び各画像処理デバイスへ電力を供給するためのシステム図が示されている。なお、図３では、電源線を１本の点線で示しているが、実際には２本〜３本の配線である。
【００２９】
画像処理装置１０は、図１に示すように壁面Ｗまで配線された商用電源１４の配線プレート１６にコンセント１８を差し込むことで電力の供給を受けるようになっている。
【００３０】
図３に示される如く、コンセント１８は、主電源スイッチ２０の一端部に接続されている。また、主電源スイッチ２０の他端部は、トライアック２２を介して、定着部電圧供給部２４、第１の低電圧供給部２６（以下、「ＬＶＰＳ１」という場合がある）、第２の低電圧供給部２８（以下、「ＬＶＰＳ２」という場合がある）にそれぞれ接続されている。定着部電圧供給部２８は、主として画像形成部２４０の定着部に適用されるヒータ（ハロゲンランプやＩＨヒータ等）の加熱に適用される。また、ＬＶＰＳ１は、主として、画像形成部２４０、画像読取部２３８、ファクシミリ（ＦＡＸ）通信制御回路２３６の動作系に適用される。さらに、ＬＶＰＳ２は、主としてメインコントローラ２００の電力源として適用される。
【００３１】
ここで、ＬＶＰＳ２は、直接メインコントローラ２００へ電力を供給する配線はなされておらず、電力切替コントローラ１２に接続されている。
【００３２】
この電力切替コントローラ１２には、蓄電デバイス３０が接続されている。すなわち、本実施の形態は、メインコントローラ２００へ商用電力を供給する第１のモードと、前記蓄電デバイス３０から電力を供給する第２のモードを設定している。
【００３３】
蓄電デバイス３０には、予め定められた電力量が蓄積されるようになっており、その電力源として、前記商用電源の電力他、回生用モータ４６からの電力、ソーラーパネル３４による発電電力が供給され、充電される。
【００３４】
例えば、蓄電デバイス３０には、７０％の電力を商用電源からの電力で充電し、残りの３０％を回生用モータ４６及びソーラーパネル３４からの電力で充電するように設定されている。なお、この設定は一例であり、全て回生用モータ４６或いはソーラーパネル３４で充電する設定であってもよい。
【００３５】
前記メインコントローラ２００では、処理（以下、「ジョブ」という場合がある）の受付が予め定めた時間連続してない場合、或いは、節電ボタン２１９が操作された場合、画像処理デバイス（画像形成部２４０、画像読取部２３８、ファクシミリ（ＦＡＸ）通信制御回路２３６）への電力供給を遮断する制御を実行する。
【００３６】
このとき、電力切替コントローラ１２では、蓄電デバイス３０の電力量が予め定めた電力量以上となっている場合、メインコントローラ２００への商用電源１４からの電力の供給も遮断する。この電力遮断は、メインコントローラ２００から電力切替コントローラ１２を介して、トライアック２２の通電を遮断することにより実現される。このため、メインコントローラ２００は、そのほとんどの機能を失うことになる。
【００３７】
但し、メインコントローラ２００の一部において、ジョブ受付等の起動信号を受けて機能を復帰させるＩＣチップ(例えば、ブートＲＯＭ）のみに電力を供給する必要があるため、電力切替コントローラ１２から蓄電デバイス３０に蓄積された電力を供給する。この電力は、例えば、１Ｗ〜１．５Ｗ程度である。
【００３８】
この状態の画像処理装置１０は、商用電源１４からの電力を一切受けていないため、消費電力が０の状態（「スリープ０」状態）である。
【００３９】
この状態で、例えば、リモートジョブを受け付けた場合（すなわち、ネットワーク通信回線網からプリント指示等を受け付けた場合）、メインコントローラ２００では、起動プログラムによって起動する。この起動は、電力切替コントローラ１２がトライアック２２に対して通電することにより実現される。
【００４０】
商用電源１４からの電力の供給が復帰すると、メインコントローラ２００では、各画像処理デバイスに対して電力供給を制御して、受け付けたジョブを実行する。
【００４１】
ここで、本実施の形態では、第２のモードの電力源として、商用電源１４を直接供給する場合（第１の電源）、商用電源１４の電力を蓄電デバイス３０の充電に利用する場合（第２の電源）、商用電源１４以外の電力源（本実施の形態では、回生エネルギー蓄積部３２、ソーラーパネル３４）の電力量を充電に利用する場合（第３の電源）が選択される。
【００４２】
通常は、第３の電源を供給し、電力が不足（充電が足りない）とき第２の電源に切り替え、さらに、電力切替コントローラ１２の動作を維持できない電力に近い場合は第１の電源を供給している。
【００４３】
図４は、電力切替コントローラ１２における、電力供給回路に設けられた切替制御のための機能ブロック図が示されている。
【００４４】
電力切替コントローラ１２の主要制御部である第２のモード管理制御部４０には、商用電源１４から第１の切替スイッチ４２を介して、電力が供給されるようになっている（第１の電源）。
【００４５】
この商用電源１４は、第２の切替スイッチ４４を介して、蓄積デバイス３０のプラス側端子に接続されている。蓄電デバイス３０のマイナス側はアースされている。これにより、蓄電デバイス３０には、商用電源１４からの電力が充電されるようになっている（第２の電源）。
【００４６】
画像処理装置１０内に設けられた何れかの回生用モータ４６（特に、限定されない）の駆動によって発生する発電部（例えば、回転中の回転軸に取り付けられたダイナモや、停止時の逆起電力等を蓄積する回生エネルギー蓄積部３２）に配線された信号線４８、及びソーラーパネル３４によって発生する発電部に配線された信号線５０は、蓄電デバイス３０のプラス側端子に接続されている。蓄電デバイス３０のマイナス側はアースされている。これにより、蓄電デバイス３０には、回生エネルギー蓄積部３０、ソーラーパネル３４からの電力が充電されるようになっている（第３の電源）。
【００４７】
蓄電デバイス３２の両端には、それぞれ電圧検出信号線５２、５４が接続され、充電量監視部５６の一部を構成する電圧センサ５８に接続されている。
【００４８】
電圧センサ５８は、電圧値取込部６０に接続され、適宜電圧値が取り込まれるようになっている。
【００４９】
電圧取込部６０は、判定部６２に接続されている。判定部６２は、予め定められた充電量しきい値（電圧値）と比較することで、蓄電デバイス３２の充電量が充分か否か（ＯＫ／ＮＧ）が判断され、その結果を電源系統切替制御部６４へ出力する。
【００５０】
電源系統切替部６４は、第１の切替スイッチ４２、第２の切替スイッチ４４を切り替えるための信号を生成し、信号線６６、６８によって出力する役目を有しており、この電源系統切替部６４から出力される信号線により、第２のモードにおける電源系統が選択されるようになっている。
【００５１】
また、前記第２のモード管理制御部４０には、電力消費量監視部７０が接続されており、低電圧供給部２８（ＬＶＰＳ２）からの消費電力情報と、蓄電デバイス３２からの消費電力情報とが、入力されるようになっている。この電力消費量監視部７０では、双方の電力消費量に基づいて、その比率を演算し、演算結果を電力消費量履歴記憶部７２へ送出する。
【００５２】
電力消費量履歴記憶部７２では、年月日、時間を横軸とした電力消費量遷移特性が記憶されるようになっている。なお、記憶容量に応じて、所謂先入れ先出しの法則に従い、古い順に削除してくようにしてもよい。
【００５３】
電力消費量履歴記憶部７２に記憶された情報は、メインコントローラ２００が通常に電力が供給されているときに読み出され、電力消費量遷移特性がＵＩタッチパネル２１６等の指示に基づき、表示されるようになっている。
【００５４】
以下、本実施の形態の作用を説明する。
【００５５】
図５及び図６は、電力供給制御の流れを示すフローチャートである。
【００５６】
図５は、メインコントローラ２００における電力供給制御であり、ステップ１００では、ジョブを受け付けたか否かが判断され、肯定判定されると、ステップ１０２へ移行して、ジョブの実行処理を行い、このルーチンは終了する。
【００５７】
また、ステップ１００で否定判定されると、ステップ１０４へ移行して所定時間が経過したか否かが判断される。このステップ１０４で否定判定されると、ステップ１０６へ移行して、節電ボタン２１９が操作されたか否かが判断される。また、このステップ１０６で否定判定されると、このルーチンは終了する。
【００５８】
前記ステップ１０４で肯定判定されると、ステップ１１０へ移行して、画像処理デバイスをスリープモードへ遷移させ、次いでステップ１１２へ移行して、蓄電デバイス３０の電力用を読み出し、ステップ１１４へ移行する。ステップ１１４では、商用電源１４を遮断しても充分な電力量が蓄積されているか否か（商用電源遮断ＯＫか否か）が判断され、肯定判定されると、ステップ１１６へ移行して第２のモードへ遷移させる。第２のモードは、蓄電デバイス３０から電力が供給されるモードである。
【００５９】
次のステップ１１８では、電力切替コントローラ１２へ制御主体を移行して、このルーチンは終了する。また、ステップ１１４で否定判定、すなわち、商用電源１４を遮断できないと判断（蓄積デバイス３０の電力量が不十分と判断）された場合は、メインコントローラ２００には、商用電源１４から電力を供給し、このルーチンは終了する。なお、このフローチャートでは、記載しないが、例えば、商用電源１４又はソーラーパネル３４からの充電が進み、蓄電デバイス３０が充分な電力量となった時点で、第２のモードへ遷移させるようにしてもよい。
【００６０】
前記ステップ１０６で肯定判定された場合、すなわち、節電ボタン２１９が操作された場合は、ステップ１０４で肯定判定（所定時間が経過したとき）と同じ制御であり、ステップ１１０へ移行して、上記工程を実行する。
【００６１】
次に、図６は、電力切替コントローラ２００における電力供給制御であり、ステップ１５２では、節電ボタン２１９が操作されたか否かが判断され、否定判定された場合は、ステップ１５４へ移行して、メインコントローラ２００からジョブ受付情報があったか否かが判断される。このステップ１５４で否定判定された場合は、ステップ１５２へ戻り、ステップ１５２、１５４の何れかで肯定判定されるまで繰り返す。
【００６２】
ステップ１５２又はステップ１５４で肯定判定されると、ステップ１５６へ移行して、第１のモードへ遷移させる。この第１のモードは、商用電源１４から電力が供給されるモードであり、具体的には、トライアック２２をオンさせる動作である。
【００６３】
次のステップ１５８では、メインコントローラ２００が制御可能な状態に立ち上がったか否かが判断される。この「制御可能な状態に立ち上がる」とは、ＬＶＰＳ１、ＬＶＰＳ２の一次側に商用電源１４の電力が供給され、二次側から正常電圧（例えば、５Ｖ）が出力されたか否かが判断される。このステップ１５８で肯定判定されると、ステップ１６６へ移行して、メインコントローラ２００へ制御主体を移行して、この電力切替コントローラ１２での電力供給制御を終了する。
【００６４】
次に、図７のフローチャートに従い、蓄電デバイスの充電量監視制御ルーチンを示す。
【００６５】
ステップ１７０では、蓄電デバイス３２の電力量を計測し、次いでステップ１７２へ移行して充電量の判定を実行する。
【００６６】
次のステップ１７４では、判定の結果で充電量が充分か（ＯＫ？）否か（ＮＧ？）、或いは異常状態かを判断する。異常状態は、何らかの原因で蓄電デバイス３２の電力量が極めて少なく、電力切替コントローラ１２の稼動を維持できない状態となった場合であり、この異常状態と判定された場合は、ステップ１７６へ移行して、第１の切替スイッチ４２を切り替えて、商用電源１４で直接電力切替コントローラ１２を制御する（第１の電源）。
【００６７】
また、ステップ１７４で、ＮＧと判定された場合は、ステップ１７８へ移行して、商用電源１４の電力を直接供給中か否かが判断される。
【００６８】
ステップ１７８で肯定判定された場合は、ステップ１８０へ移行して、商用電源１４の電力の直接供給を終了して、ステップ１８２へ移行する。また、ステップ１７８で否定判定された場合は、ステップ１８２へ移行する。
【００６９】
ステップ１８２では、商用電源１４で蓄電デバイス３２を充電中か否かが判断され、否定判定された場合は、ステップ１８４へ移行して、第２の切替スイッチ４４を切り替えて、商用電源１４で蓄電デバイス３２の充電を開始し、このルーチンは終了する。また、ステップ１８２で肯定判定された場合は、このルーチンは終了する。
【００７０】
前記ステップ１７４で、ＯＫと判定された場合は、ステップ１８６へ移行して、商用電源１４の電力を直接供給中か否かが判断される。
【００７１】
ステップ１８６で肯定判定された場合は、ステップ１８８へ移行して、商用電源１４の電力の直接供給を終了して、ステップ１９０へ移行する。また、ステップ１８６で否定判定された場合は、ステップ１９０へ移行する。
【００７２】
ステップ１９０では、商用電源１４で蓄電デバイス３２を充電中か否かが判断され、肯定判定された場合は、ステップ１９２へ移行して、第２の切替スイッチ４４を切り替えて、商用電源１４での蓄電デバイス３２の充電を終了し、このルーチンは終了する。また、ステップ１９０で否定判定された場合は、このルーチンは終了する。
【００７３】
図８は、メインコントローラ２００における、消費電力履歴表示制御ルーチンを示すフローチャートである。
【００７４】
ステップ３００では、ＵＩタッチパネル２１６の操作で表示指示があったか否かが判断され、肯定判定されると、ステップ３０２へ移行して電力消費履歴記憶部７２から情報を読み出し、ステップ３０４へ移行する。ステップ３０４では、取得した情報を編集し、次いでステップ３０６へ移行して、電力消費量履歴を表示する。表示形態は、例えば、図８（Ｂ）のようなグラフィカルな遷移特性であってもよいし、数字の羅列であってもよい。
【００７５】
また、ステップ３００で否定判定された場合は、ステップ３０８へ移行して、表示終了の指示があったか否かが判断され、肯定判定されると、ステップ３１０へ移行して、表示を終了する。
【００７６】
なお、本実施の形態では、図４の回路図上で、第１の切替スイッチ４２、第２の切替スイッチ４４を、単純なメカ的スイッチの記号で示したが、半導体スイッチ等に置き換えてもよい。また、第１の切替スイッチ４２において、低電圧供給部２８（ＬＶＰＳ２）から電力を受けるときと、蓄電デバイス３２から電力を受ける場合との切替時期に、双方からの給電が遮断されず、両者の給電時期が重なり、かつ逆流しない構成とすることが好ましい。例えば、単純に、低電圧供給部２８（ＬＶＰＳ２）からの電源線と、蓄電デバイス３２からの電源線との接続点の上流側に、それぞれ互いにカソード側を対向させるようにダイオードを介在させるようにすればよい。
【符号の説明】
【００７７】
１０    画像処理装置
Ｗ    壁面
１４    商用電源
１６    配線プレート
１８    コンセント
２０    メインスイッチ
２２    トライアック
２４    高電圧供給部
２６    第１の低電圧供給部
２８    第２の低電圧供給部
３０    蓄電デバイス
３２    回生エネルギー蓄積部
３４    ソーラーパネル
４０    第２のモード管理制御部
４２    第１の切替スイッチ
４４    第２の切替スイッチ
４６    モータ
４８    信号線
５０    信号線
５２、５４    電圧検出信号線
５６    充電量監視部
５８    電圧センサ
６０    電圧値取込部
６２    判定部
６４    電源系統切替制御部
６６、６８    信号線
２００    メインコントローラ
２０４    ＣＰＵ
２０６    ＲＡＭ
２０８    ＲＯＭ
２１０    Ｉ／Ｏ（入出力部）
２１２    バス
２１４    ＵＩ制御回路
２１６    ＵＩタッチパネル
２１８    ハードディスク
２１９    節電ボタン
２２０    タイマ回路
２２２    通信回線Ｉ／Ｆ
２３４    デバイス選択Ｉ／Ｆ
２３６    ファクシミリ通信制御回路
２３８    画像読取部
２４０    画像形成部
【図１】
2011199983.tif 000003
【図２】
2011199983.tif 000004
【図３】
2011199983.tif 000005
【図４】
2011199983.tif 000006
【図５】
2011199983.tif 000007
【図６】
2011199983.tif 000008
【図７】
2011199983.tif 000009
【図８】
2011199983.tif 000010